(57)【要約】【課題】踵部又は爪先部を含む任意の領域において、編み組織の外側にラップ糸を配置し、従来よりも美観性又は機能性を高めた靴下を提供する。【解決手段】口編部・身編部・踵部・足部・爪先部よりなる靴下において、踵部１２又は爪先部１３を含む任意の領域に、靴下の編み組織を構成する表糸の外側にラップ糸を挿入して当該編み組織を包み込む形で編成することにより、通常の編み組織と前記ラップ糸を挿入した編み組織を混在させる。【選択図】図１
0003136618.tif 000002
【実用新案登録請求の範囲】
【請求項１】
口編部・身編部・踵部・足部・爪先部よりなる靴下において、前記踵部又は前記爪先部を含む任意の領域に、靴下の編み組織を構成する表糸の外側にラップ糸を挿入して当該編み組織を包み込む形で編成することにより、通常の編み組織と前記ラップ糸を挿入した編み組織を混在せしめ靴下の美観性又は機能性を高めたことを特徴とする靴下。
【請求項２】
前記ラップ糸が、靴下の編み組織を構成する周辺部の表糸と異なる色彩を有する色糸であることを特徴とする請求項１に記載の靴下。
【請求項３】
前記ラップ糸が、被服圧を任意の高さに調整する弾性糸であることを特徴とする請求項１に記載の靴下。
【請求項４】
前記ラップ糸が、補強を施すために耐摩耗強度の強い糸であることを特徴とする請求項１に記載の靴下。
【考案の詳細な説明】
【技術分野】
【０００１】
本考案は、踵部又は爪先部を含む任意の領域において編み組織を構成する表糸の外側にラップ糸を挿入することにより美観性又は機能性を高めた靴下に関する。
【背景技術】
【０００２】
従来から、靴下の編み組織の中に伸縮糸や補強糸などを挿入する技術が公知になっているが、この公知技術では靴下全体に伸縮糸や補強糸を挿入する又は踵部および爪先部を除く部位に挿入することが一般的であった。
【０００３】
特開平９−２９６３０３号公報には、足底部に伸縮糸が挿入されていながら、かかと部やつま先部との厚みの差が少ない履き心地の良い靴下を提供する「靴下及び靴下の製造方法」が開示されている（特許文献１）。
【０００４】
上記先行技術によれば、足底部を伸縮糸が挿入された天竺編組織で編成したものであるため、伸縮糸が挿入されたリブ編組織で編成したものと比較して、かかと部やつま先部との厚さの差を少なくすることができ、靴下着用時の違和感を軽減させるという効果を奏する。
【０００５】
また、実用新案登録第３１０３６８０号公報には、踵上方に位置する摩擦部分または足指付根と趾球の間に位置する足底部分が他の部分よりも早く破れることを防止できると共に、補強糸を挿入しても、外観とフィット感が悪くなることを防止できる「靴下」が開示されている（特許文献２）。
【０００６】
上記先行技術によれば、靴下の編地に補強糸を挿入した補強部を、踵部上方に位置する靴の履き口縁との摩擦部分に形成したため、踵部上方に位置する靴の履き口縁との摩擦部分摩耗強さが靴下の他の部分よりも向上するという効果を奏する。
【０００７】
しかしながら、上記各先行技術は、従来の技術と同様に踵部及び爪先部以外の正回転部において利用される技術であり、踵部又は爪先部を含む任意の領域において編み組織の中に伸縮糸や補強糸を挿入することを意図するものではない。また、従来の技術では、靴下の踵部又は爪先部の領域において、表糸と裏糸で編成される通常の編み組織の外側に安定して３種類目の糸を配置することは困難であった。
【０００８】
【特許文献１】特開平９−２９６３０３号公報
【特許文献２】実用新案登録第３１０３６８０号公報
【考案の開示】
【考案が解決しようとする課題】
【０００９】
そこで、本考案は、従来の技術では実現できなかった踵部又は爪先部を含む任意の領域において編み組織の外側にラップ糸を配置することに着目し、従来よりも美観性又は機能性を高めた靴下を提供することを目的とする。
【課題を解決するための手段】
【００１０】
上記課題を解決するために、請求項１に記載の考案は、口編部・身編部・踵部・足部・爪先部よりなる靴下において、前記踵部又は前記爪先部を含む任意の領域に、靴下の編み組織を構成する表糸の外側にラップ糸を挿入して当該編み組織を包み込む形で編成することにより、通常の編み組織と前記ラップ糸を挿入した編み組織を混在せしめ靴下の美観性又は機能性を高めた構成を採用したのである。
【００１１】
また、請求項２に記載の考案について、請求項１に記載の前記ラップ糸が、靴下の編み組織を構成する周辺部の表糸と異なる色彩を有する色糸であることを特徴とする。
【００１２】
また、請求項３に記載の考案について、請求項１に記載の前記ラップ糸が、被服圧を任意の高さに調整する弾性糸であることを特徴とする。
【００１３】
また、請求項４に記載の考案について、請求項１に記載の前記ラップ糸が、補強を施すために耐摩耗強度の強い糸であることを特徴とする。
【考案の効果】
【００１４】
以上のように、本考案によれば、踵部又は爪先部を含む任意の領域において、靴下の編み組織を構成する表糸の外側にラップ糸を挿入することにより、通常の編み組織とラップ糸を挿入した編み組織を混在せしめ靴下の美観性又は機能性を高めることが可能となる。
【００１５】
また、踵部又は爪先部を含む任意の領域において編み組織の外側に挿入するラップ糸を、周辺部の表糸と異なる色彩を有する色糸にすることにより、従来の引き揃えでは得られないムラがなく安定した杢調の外観を呈することができ、靴下の美観性を高めることが可能となる。
【００１６】
また、踵部又は爪先部を含む任意の領域において編み組織の外側に挿入するラップ糸を、被服圧を任意の高さに調整する弾性糸にすることにより、従来は正回転部にしか得られなかった高い被服圧を任意の高さで得ることができ、しかも周辺部と同じ被服圧レベルに調整することもでき、靴下の機能性を高めることが可能となる。
【００１７】
また、踵部又は爪先部を含む任意の領域において編み組織の外側に挿入するラップ糸を、補強を施すために耐摩耗強度の強い糸にすることにより、靴下の機能性を高めることが可能となる。
【考案を実施するための最良の形態】
【００１８】
以下、本考案の実施形態について、図面を参酌しながら説明する。本考案にかかる靴下は、以下の実施例に限定されるものではなく、踵部又は爪先部を含む任意の領域にラップ糸を挿入して編み組織を包み込む形で編成し、通常の編み組織とラップ糸を挿入した編み組織を混在せしめることを特徴とする。ここで、「ラップ糸」とは、編み組織の外側に配置され当該編み組織を包み込む形で編成する糸のことをいう。
【００１９】
図１は本考案にかかる靴下の一例を示す平面図である。本考案にかかる靴下は、従来の靴下と同様に口編部・身編部・踵部・足部・爪先部よりなるものである。本考案は、図１に示す踵部１２又は爪先部１３を含む任意の領域に靴下の編み組織を構成する表糸の外側にラップ糸を挿入して当該編み組織を包み込む形で編成することを特徴とする。これにより、例えば、通常の編み組織からなる身編部１１と従来の技術では実現できなかったラップ糸を挿入した編み組織からなる踵部１２を混在させることが可能となり、従来よりも美観性又は機能性を高めた靴下を提供することができる。
【００２０】
図２は天竺編組織にラップ糸を挿入した一例を示す組織図である。天竺編組織とは表糸２０と裏糸２１から構成される編糸によって編成される平編組織であり、本考案では、図１の靴下の踵部１２又は爪先部１３を含む任意の領域において、図２に示すように表糸２０の外側にラップ糸２２が編糸と共に編み込まれて、編成と同時にラップ糸２２が挿入される。
【００２１】
図３はパイル編組織にラップ糸を挿入した一例を示す組織図である。パイル編組織は表糸３０と芯糸３１とパイルを形成するパイル糸３２から構成され、本考案では、図１の靴下の踵部１２又は爪先部１３を含む任意の領域において、図３に示すように表糸３０の外側にラップ糸３３が編成と同時に挿入される。なお、パイル糸の種類は特に限定されるものではなく、従来公知の綿糸、ナイロン糸、綿−ポリエステル混紡糸等が使用される。
【００２２】
（第一実施例）
ラップ糸２２、３３として、「色糸」を採用する。
この場合、靴下の踵部１２又は爪先部１３を含む任意の領域において編み組織の外側に挿入するラップ２２、３３糸を、周辺部の表糸と異なる色彩を有する色糸にすることにより、従来の引き揃えでは得られないムラがなく安定した杢調の外観を呈することができ、靴下の美観性を高めることが可能となる。
【００２３】
（第二実施例）
ラップ糸２２、３３として、「弾性糸」を採用する。
この場合、靴下の踵部１２又は爪先部１３を含む任意の領域において編み組織の外側に挿入するラップ糸２２、３３を、被服圧を任意の高さに調整する弾性糸にすることにより、従来は正回転部にしか得られなかった高い被服圧を任意の高さで得ることができ、しかも周辺部と同じ被服圧レベルに調整することもでき、靴下の機能性を高めることが可能となる。
【００２４】
（第三実施例）
ラップ糸２２、３３として、「耐摩耗強度の強い糸」を採用する。
この場合、靴下の踵部１２又は爪先部１３を含む任意の領域において編み組織の外側に挿入するラップ糸２２、３３を、補強を施すために耐摩耗強度の強い糸にすることにより、靴下の機能性を高めることが可能となる。
【図面の簡単な説明】
【００２５】
【図１】本考案にかかる靴下の一例を示す平面図である。
【図２】天竺編組織にラップ糸を挿入した一例を示す組織図である。
【図３】パイル編組織にラップ糸を挿入した一例を示す組織図である。
【符号の説明】
【００２６】
１０  靴下
１１  身編部
１２  踵部
１３  爪先部
２０  表糸
２１  裏糸
２２  ラップ糸
３０  表糸
３１  芯糸
３２  パイル糸
３３  ラップ糸
【図１】
0003136618.tif 000003
【図２】
0003136618.tif 000004
【図３】
0003136618.tif 000005